(57)【要約】      （修正有）【課題】靴内の所定位置に設置することにより歩行時の姿勢を矯正するバランス用フットパッドを提供する。【解決手段】少なくとも踵部又は横足弓部を有し、該踵部と横足弓部は、少なくとも第１平面部１１と第２平面部１２とが設けられ、該第２平面部１２は、平坦状であり、第１平面部１１に上面が第２平面部１２の上面と同一面上に位置する支持部１１０が設けられ、該第１平面部１１に硬質素材から成る支持部１１０が設けるものとする。【選択図】図１
2008114038.tif 000002
【特許請求の範囲】
【請求項１】
少なくとも踵部又は横足弓部を有し、該踵部と横足弓部は、少なくとも第１平面部と第２平面部を備え、該第１平面部に硬質素材から成る支持部が設けられることを特徴とするバランス用フットパッド。
【請求項２】
前記第２平面部と支持部の上面と、該第１平面部の上面とは同一面上に位置することを特徴とする請求項１に記載のバランス用フットパッド。
【請求項３】
前記第２平面部の上面は、該第１平面部の上面と同一面上に位置し、前記支持部は、第１平面部から上方へ膨出することを特徴とする請求項１に記載のバランス用フットパッド。
【請求項４】
前記第１平面部の周縁及び第２平面部に斜面が形成されることを特徴とする請求項１に記載のバランス用フットパッド。
【請求項５】
前記踵部を有するフットパッドは、楕円形を呈し、前記第１平面部と第２平面部は夫々半楕円形を呈することを特徴とする請求項１乃至４の何れかに記載のバランス用フットパッド。
【請求項６】
前記横足弓部を有するフットパッドは、一側がく字形を呈し、そのく字形側にく字形の第２平面部が設けられ、該第２平面部の一側と中央に夫々１つの第１平面部が設けられ、該第２平面部のと第１平面部との間に上面が第１平面部の上面と同一面上に位置する支持部が設けられると共に、該第２平面部の中央における第１平面部の中央に突出状の支持部が設けられることを特徴とする請求項１に記載のバランス用フットパッド。
【請求項７】
請求項１に記載のフットパッドを少なくとも一枚用意し、該フットパッドが靴内の踵と横足弓の少なくとも一方の対応位置に設置されることを特徴とするバランス用フットパッドの使用方法。
【請求項８】
前記フットパッドは、一般のフットパッドと一緒に形成した後、該一般のフットパッドと一緒に靴内に設置することを特徴とする請求項７に記載のバランス用フットパッドの使用方法。
【発明の詳細な説明】
【技術分野】
【０００１】
本発明は、特に靴内の所定位置に設置することにより歩行時の姿勢を矯正するバランス用フットパッドに関するものである。
【背景技術】
【０００２】
従来の一般のフットパッドは、靴の内部に敷くことにより、歩行時における加重や地面からの衝撃の緩和する効果を提供する。しかしながら、一般のフットパッドは、前記のような緩和効果しか有しなく、歩行時の不良姿勢に対して、矯正効果を有しない。前記の事情に鑑み、その後、フットパッド本体の所定位置に突出状の矯正部を有する矯正用フットパッドが開発された。尚、この矯正用フットパッドは、一般によく使用されているものであるため、特に特許文献又は非特許文献に記載されていない。
【発明の開示】
【発明が解決しようとする課題】
【０００３】
しかしながら、前記従来の矯正用フットパッドは、値段が高く、且つ足部が変形している人など、足部に問題を有する人に対して、このような矯正用フットパッドを使用すると、歩行時不快感を与えてしまうので、使用し難いといった問題があった。
【０００４】
そこで、出願されたのが本発明であって、靴内の所定位置に設置することにより歩行時の姿勢を矯正するバランス用フットパッドを提供することを目的としている。
【課題を解決するための手段】
【０００５】
本願の請求項１の発明は、少なくとも踵部又は横足弓部を有し、該踵部と横足弓部は、少なくとも第１平面部と第２平面部を備え、該第１平面部に硬質素材から成る支持部が設けられることを特徴とするバランス用フットパッド、を提供する。
【０００６】
本願の請求項２の発明は、前記第２平面部と支持部の上面と、該第１平面部の上面とは同一面上に位置することを特徴とする請求項１に記載のバランス用フットパッド、を提供する。
【０００７】
本願の請求項３の発明は、前記第２平面部の上面は、該第１平面部の上面と同一面上に位置し、前記支持部は、第１平面部から上方へ膨出することを特徴とする請求項１に記載のバランス用フットパッド、を提供する。
【０００８】
本願の請求項４の発明は、前記第１平面部の周縁及び第２平面部に斜面が形成されることを特徴とする請求項１に記載のバランス用フットパッド、を提供する。
【０００９】
本願の請求項５の発明は、前記踵部を有するフットパッドは、楕円形を呈し、前記該第１平面部と第２平面部は夫々半楕円形を呈することを特徴とする請求項１乃至４の何れかに記載のバランス用フットパッド、を提供する。
【００１０】
本願の請求項６の発明は、前記横足弓部を有するフットパッドは、一側がく字形を呈し、そのく字形側にく字形の第２平面部が設けられ、該第２平面部の一側と中央に夫々１つの第１平面部が設けられ、該第２平面部のと第１平面部との間に上面が第１平面部の上面と同一面上に位置する支持部が設けられると共に、該第２平面部の中央における第１平面部の中央に突出状の支持部が設けられることを特徴とする請求項１に記載のバランス用フットパッド、を提供する。
【００１１】
本願の請求項７の発明は、請求項１に記載のフットパッドを少なくとも一枚用意し、該フットパッドが靴内の踵と横足弓の少なくとも一方の対応位置に設置されることを特徴とするバランス用フットパッドの使用方法、を提供する。
【００１２】
本願の請求項８の発明は、前記フットパッドは、一般のフットパッドと一緒に形成した後、該一般のフットパッドと一緒に靴内に設置することを特徴とする請求項７に記載のバランス用フットパッドの使用方法、を提供する。
【発明の効果】
【００１３】
本発明は、上記の課題を解決するものであり、踵部と横足弓部の少なくとも一方と対応する位置に、硬質素材からなる支持部が設けられることにより、踵部と横足弓部の少なくとも一方に優れた支持効果を提供でき、且つ、歩行時の姿勢を矯正することもできる。
【発明を実施するための最良の形態】
【００１４】
以下、添付図面を参照して本発明の好適な実施の形態を詳細に説明する。
【００１５】
図１は本発明に係るバランス用フットパッドの第１実施例の平面図であり、図２は本発明に係るバランス用フットパッドの第１実施例の側面断面図であり、図３は本発明に係るバランス用フットパッドの第２実施例の側面断面図であり、図４は本発明に係るバランス用フットパッドの第３実施例の平面図であり、図５は本発明に係るバランス用フットパッドの使用状態を示す平面図であり、図６は本発明に係るバランス用フットパッドの使用状態を示す側面断面図であり、図７は本発明に係るバランス用フットパッドをスリッパに使用する状態を示す斜視図である。
【００１６】
図１及び図２に示すように、本発明に係るバランス用フットパッドは、フットパッド（１０）を有し、該フットパッド（１０）に少なくとも第１平面部（１１）と第２平面部（１２）とが設けられ、該第２平面部（１２）は、平坦状であり、第１平面部（１１）に上面が第２平面部（１２）の上面と同一面上に位置する支持部（１１０）が設けられ、又、本実施例において、該フットパッド（１０）は、楕円形を呈すると共に、該第１平面部（１１）と第２平面部（１２）は夫々半楕円形を呈し、該支持部（１１０）は硬質素材から成る。
【００１７】
図３に示すように、本発明に係るバランス用フットパッドの第２実施例は、前記第１実施例と殆ど等しく、異なる部分は、第１平面部（１１）の周縁と第２平面部（１２）に斜面が形成されることにより、支持部（１１０）が最も突出して足部を支持することである。
【００１８】
図４に示すように、本発明に係るバランス用フットパッドの第３実施例は、フットパッド（１０ａ）の一側がく字形を呈し、そのく字形側にく字形の第２平面部（１２ａ）が設けられ、該第２平面部（１２ａ）の一側と中央に夫々１つの第１平面部（１１ａ）（１１ｂ）が設けられ、第１平面部（１１ａ）と第２平面部（１２ａ）との間に上面が第１平面部（１１ａ）の上面と同一面上に位置する支持部（１１０ａ）が設けられると共に、第２平面部（１２ａ）の中央における第１平面部（１１ｂ）の中央に突出状の支持部（１１０ｂ）が設けられる。又、前記支持部（１１０ａ）（１１０ｂ）は、硬質素材からなる。該支持部（１１０ｂ）は、足の湧泉穴のマッサージ効果と支持効果を提供すると共に、踵部及び横足弓部に均一に圧力を分散する効果を提供する。
【００１９】
又、図５及び図６に示すように、本発明に係るバランス用フットパッドの第２実施例と第３実施例を使用する時は、フットパッド（１０）（１０ａ）を、夫々靴内の踵部と横足弓部の対応位置に設置すると共に、該フットパッド（１０ａ）の支持部（１１０ａ）を足の中足骨の中央に位置させることにより、横足弓部の支持効果を提供すると共に、該フットパッド（１０ａ）の支持部（１１０ｂ）は、足つぼのマッサージ効果を提供できる。
【００２０】
又、本発明に係るバランス用フットパッドの使用方法としては、先ず少なくとも一枚のフットパッドを用意し、該フットパッドを靴内の踵部の横足弓部の少なくとも一方の対応位置に設置するだけでよいので、本発明に係るバランス用フットパッドは、各種の靴、例えば革靴、運動靴又はサンダルなど、に使用することができる。又、本発明のフットパッドを一般のフットパッドと一緒に形成し、該一般のフットパッドと一緒に靴内に設置してしようしてもよい。
【００２１】
更に、図７に示すように、本発明に係るバランス用フットパッドは、スリッパなどに設置してもよい。尚、その使用方法については、前記実施例と同様であるため、詳細な説明は省略する。
【産業上の利用可能性】
【００２２】
本発明は上記の構成を有するので、踵部と横足弓部の少なくとも一方の対応位置に、硬質素材からなる支持部が設けられることにより、足の踵部と横足弓部の少なくとも一方に優れた支持効果を提供でき、且つ、歩行時の姿勢を矯正することもできる。
【図面の簡単な説明】
【００２３】
【図１】本発明に係るバランス用フットパッドの第１実施例の平面図である。
【図２】本発明に係るバランス用フットパッドの第１実施例の側面断面図である。
【図３】本発明に係るバランス用フットパッドの第２実施例の側面断面図である。
【図４】本発明に係るバランス用フットパッドの第３実施例の平面図である。
【図５】本発明に係るバランス用フットパッドの使用状態を示す平面図である。
【図６】本発明に係るバランス用フットパッドの使用状態を示す側面断面図である。
【図７】本発明に係るバランス用フットパッドをスリッパに使用する状態を示す斜視図である。
【符号の説明】
【００２４】
１０        フットパッド
１０ａ      フットパッド
１１        第１平面部
１１ａ      第１平面部
１１ｂ      第１平面部
１１０      支持部
１１０ａ    支持部
１１０ｂ    支持部
１２        第２平面部
１２ａ      第２平面部
【図１】
2008114038.tif 000003
【図２】
2008114038.tif 000004
【図３】
2008114038.tif 000005
【図４】
2008114038.tif 000006
【図５】
2008114038.tif 000007
【図６】
2008114038.tif 000008
【図７】
2008114038.tif 000009